(57)【要約】【課題】  キャリッジに対する記録ヘッドの着脱の操作性を確保しつつ、高画質の記録が可能な記録装置を提供する。【解決手段】  キャリッジに回動可能に配され、記録ヘッドをキャリッジに固定する第１の位置とキャリッジに対する記録ヘッドの着脱を可能にする第２の位置とに移動可能なヘッドカバーと、ヘッドカバーの第１の位置から第２の位置への移動に伴い、キャリッジに対して回動することによりキャリッジに搭載されている記録ヘッドを押圧する押出しレバーと、を備え、押出しレバーの回動支点はヘッドカバーの回動支点と同軸に配される。【選択図】  図２
2010036525.tif 000002
【特許請求の範囲】
【請求項１】
被記録材に記録を行う記録ヘッドを着脱可能なキャリッジと、
前記キャリッジに回動可能に配され、記録ヘッドを前記キャリッジに固定する第１の位置と前記キャリッジに対する記録ヘッドの着脱を可能にする第２の位置とに移動可能なヘッドカバーと、
前記ヘッドカバーの前記第１の位置から前記第２の位置への移動に伴い、前記キャリッジに対して回動することにより前記キャリッジに搭載されている記録ヘッドを押圧する押出しレバーと、
を備え、前記押出しレバーの回動支点は前記ヘッドカバーの回動支点と同軸に配されることを特徴とする記録装置。
【請求項２】
前記ヘッドカバーの前記押出しレバーを押圧する部位は、前記ヘッドカバーの回動支点より下方に配されることを特徴とする請求項１に記載の記録装置。
【請求項３】
前記ヘッドカバーが前記第２の位置にあるときは、前記押出しレバーにより記録ヘッドが前記キャリッジに配されたコンタクト部に接触することを妨げる位置に配されることを特徴とする請求項１または２に記載の記録装置。
【請求項４】
前記押出しレバーを付勢するバネを有し、前記ヘッドカバーが前記第１の位置にあるときは、前記押出しレバーは前記キャリッジに当接するように付勢され前記キャリッジに搭載された記録ヘッドと離間した位置に配されることを特徴とする請求項３に記載の記録装置。
【請求項５】
前記キャリッジには複数の記録ヘッドを搭載することができることを特徴とする請求項１ないし４のいずれか１項に記載の記録装置。
【請求項６】
前記複数の記録ヘッドは、ブラックヘッドとカラーヘッドであることを特徴とする請求項５に記載の記録装置。
【請求項７】
前記ブラックヘッドと前記カラーヘッドは、前記キャリッジに対して被記録材の搬送方向においてずれた位置に搭載されることを特徴とする請求項６に記載の記録装置。
【請求項８】
前記ブラックヘッドを前記キャリッジに固定するためのブラックヘッドカバーと前記カラーヘッドを前記キャリッジに固定するためのカラーヘッドカバーは、前記搬送方向において同じ位置に配されることを特徴とする請求項７に記載の記録装置。
【発明の詳細な説明】
【技術分野】
【０００１】
本発明は、記録用紙等の被記録材に記録を行う記録装置に関し、特に記録ヘッドが着脱可能に装着されるキャリッジを備える記録装置に関する。
【背景技術】
【０００２】
従来より、被記録材の搬送方向（副走査方向）と交差する方向（主走査方向）に記録ヘッドを走査させて記録を行うシリアルタイプの記録装置がある。シリアルタイプの記録装置においては、主走査方向に移動するキャリッジに搭載された記録ヘッドにより被記録材に画像が記録される。そして、１行分の記録が終了した後に、被記録材を所定量搬送し、次の行の記録を行うという動作を繰り返すことにより被記録材全体の記録が行われる。
【０００３】
図１１、図１２に従来の記録装置を示す。図１１は従来の記録装置において、キャリッジに記録ヘッドを固定した状態を示す側面図である。図１２は従来の記録装置において、キャリッジに対する記録ヘッドの着脱を可能にするときの状態を示す側面図である。図１１、図１２において、１０９は被記録材に記録を行う記録ヘッドである。１５１は記録ヘッド１０９を搭載するためのキャリッジである。１５２は記録ヘッド１０９をキャリッジ１５１に固定するためのヘッドカバーである。１５７はヘッドカバー１５２の動きと連動しキャリッジ１５１に固定された記録ヘッド１０９を押し出すための押出しレバーである。ヘッドカバー１５２の回転支点は、押出しレバー１５７の回転支点よりも上側に配されている。ヘッドカバー１５２を閉じた状態から開くと、押出しレバー１５７の端部がヘッドカバー１５２の上面と当接することにより、押出しレバー１５７が回動し記録ヘッド１０９を押し出すことができる。図１１に示す状態では、押出しレバー１５７は自重により記録ヘッド１０９とキャリッジ１５１との間の位置にある。また、図１２に示す状態では、押出しレバー１５７が回動した位置にあることで、記録ヘッド１０９のコンタクト部とキャリッジ１５１の電気接続部とが不用意に接触することを防ぐことができる。
【特許文献１】特開２００１−３４１３２０号公報
【特許文献２】特開２００７−５０５２７号公報
【発明の開示】
【発明が解決しようとする課題】
【０００４】
しかしながら、上記のような従来例では次のような課題があった。すなわち、カバーにより記録ヘッドがキャリッジに固定された状態では、押出しレバーの一部がカバーから露出している。そのため、キャリッジに記録ヘッドが装着された状態で、使用者が押出しレバーに触れることができてしまう。押出しレバーに触れると押出しレバーと記録ヘッドが当接して、キャリッジに対する記録ヘッドの位置決めが不安定になってしまう。すると、記録ヘッドにより記録される画像の精度が悪化したり、記録ヘッドとキャリッジの電気的接続が不安定になるという問題が生ずる。
【０００５】
また、キャリッジに記録ヘッドを装着した状態では、押出しレバー５７は自重により位置が決まる構成であるため、キャリッジに対する記録ヘッドの位置決めが不安定になったり、キャリッジの移動により押出しレバーが動いてがたつき音が発生するという問題があった。
【０００６】
このような事情に鑑みて、本発明の目的は、キャリッジに対する記録ヘッドの着脱の操作性を確保しつつ、高画質の記録が可能な記録装置を提供することである。
【課題を解決するための手段】
【０００７】
本発明は、上記目的を達成するため、被記録材に記録を行う記録ヘッドを着脱可能なキャリッジと、前記キャリッジに回動可能に配され、記録ヘッドを前記キャリッジに固定する第１の位置と前記キャリッジに対する記録ヘッドの着脱を可能にする第２の位置とに移動可能なヘッドカバーと、前記ヘッドカバーの前記第１の位置から前記第２の位置への移動に伴い、前記キャリッジに対して回動することにより前記キャリッジに搭載されている記録ヘッドを押圧する押出しレバーと、を備え、前記押出しレバーの回動支点は前記ヘッドカバーの回動支点と同軸に配されることを特徴とする。
【発明の効果】
【０００８】
本発明によれば、キャリッジに対する記録ヘッドの着脱の操作性を確保しつつ、高画質の記録が可能な記録装置を提供することができる。
【発明を実施するための最良の形態】
【０００９】
以下、図面を参照して本発明の実施形態を具体的に説明する。なお、各図面を通して同一符号は同一又は対応部分を示すものである。
【００１０】
図１は本実施形態に係る記録装置の斜視図である。本実施形態に係る記録装置１は、給送部２、搬送部３、排紙部４、キャリッジ部５、回復部６等から構成される。キャリッジ部５のキャリッジ５１には、ブラックインクを吐出するブラックヘッド７とカラーインクを吐出するカラーヘッド８とが着脱可能に構成されている。カラーインクは、イエローインク、マゼンタインク、シアンインクである。
【００１１】
記録装置１は、給送部２により給送された被記録材が搬送部３により搬送される。そして、ブラックヘッド７とカラーヘッド８が搭載されたキャリッジ５１が被記録材の搬送方向と交差する方向に移動しながら、ブラックヘッド７およびカラーヘッド８から被記録材にインクが吐出される。キャリッジ５１の主走査方向の移動と、搬送部３および排紙部４の被記録材の搬送と、を繰り返すことにより被記録材全体への記録が行われる。被記録材全体への記録が終了すると、排紙部４により被記録材が記録装置の外に排出される。また、所定のタイミングで、回復部６により記録ヘッドの回復動作が行われる。
【００１２】
次に、本実施形態に係るキャリッジ部の説明を行う。図２は図１の記録装置のキャリッジ部の斜視図である。キャリッジ５１には、ブラックヘッド７を固定するためのブッラクヘッドカバー５２ａとカラーヘッド８を固定するためのカラーヘッドカバー５２ｂが設けられている。なお、ブラックヘッド７、カラーヘッド８は、その一方、または合わせて記録ヘッドとも称呼する。ブラックヘッドカバー５２ａ、カラーヘッドカバー５２ｂは、その一方、または合わせてヘッドカバー５２とも称呼する。５３は、記録ヘッドを固定するときに記録ヘッドの上面にスライドして接触するヘッドセットカムである。ヘッドカバー５２とヘッドセットカム５３との間には、キャリッジ５１に対して記録ヘッドを固定するためのバネ力を発生するヘッドセットバネ５４が配されている。５５は、キャリッジ５１に固定され記録ヘッドが搭載されたときに記録ヘッドを囲む空間を構成するためのフロントカバーである。ヘッドカバー５２が閉じた状態では、ヘッドカバー５２の係合部がフロントカバー５５と係合する。キャリッジ５１とヘッドカバー５２の間にはカバーバネ５６が配され、カバーバネ５６のバネ力によりカバー５２は開く方向に付勢される。５７は、ヘッドカバー５２を開いたときに記録ヘッドを後ろから押し出す押出しレバーである。５１１は、ブラックヘッド７と電気的に接続するコンタクト部である。
【００１３】
図２において、ブラックヘッドカバー５２ａは開いた状態である。この状態から、使用者がブラックヘッドカバー５２ａの操作部５２２に指をかけて回転させることで、図２のカラーヘッドカバー５２ｂの状態である閉じた状態にすることができる。ブラックヘッドカバー５２ａが閉じた状態では、操作部５２２を押すことによりヘッドカバーの係合部５２４をフロントカバー５５の係合部から外すことができる。前述のように、カバーバネ５６のバネ力によりブラックヘッドカバー５２ａは開く方向に付勢されているため、フロントカバー５５との係合が外れると最も開いた状態まで回動する。カラーヘッドカバー５２ｂの構成もブラックヘッドカバー５２ａの構成と同様である。５１１は、記録ヘッドと電気的に接続されるコンタクト部である。
【００１４】
図３は、ブラックヘッド７の斜視図である。ブラックヘッド７はキャリッジ５１に固定された状態で、ヘッド側コンタクト部７４がキャリッジ５１のコンタクト部５１１と電気的に接続する。固定された状態では、ヘッドセットカム５３がブラックヘッド７の押圧部７２が接触する。そして、ヘッドセットバネ５４のバネ力により、記録ヘッドはキャリッジ５１に確実に固定される。７１は、キャリッジ５１に位置決めするための位置決め部である。７３は、キャリッジ５１に当接する当接部である。７５は、ブラックヘッド７をキャリッジ５１に固定するときにキャリッジ５１と接触するガイド部である。
【００１５】
図４は、キャリッジ５１にブラックヘッド７とカラーヘッド８を搭載し、ヘッドカバー５２を省略した平面図である。すなわち、キャリッジ５１には複数の記録ヘッドを搭載することができる。図４に示すように、本実施形態では、ブラックヘッド７に対してカラーヘッド８が被記録材の搬送方向において下流側に位置する。被記録材の搬送方向においてずらすのは、インクの定着のスピードの違いや、キャリッジ５１の１走査あたりに使用するノズル数の違いや、縁なし記録の有無の違いなどの要因による。
【００１６】
図５は、ブラックヘッドカバー５２ａとカラーヘッドカバー５２ｂを搭載した状態の平面図である。図５に示すように、使用者の操作性向上、美観向上のため、被記録材の搬送方向におけるブラックヘッドカバー５２ａとカラーヘッドカバー５２ｂの位置が同じになるようにしている。そこでブラックヘッドカバー５２ａ及びカラーヘッドカバー５２ｂの回動支点を被記録材の搬送方向において記録ヘッド７の押圧部７２よりも上流側で同軸とした。また、ブラックヘッドカバー５２ａ及びカラーヘッドカバー５２ｂの係合部５２４の位置を被記録材の搬送方向において下流側にあるカラーヘッド８よりも下流側であって同じ位置となるようにした。なお、ブラックヘッド７とカラーヘッド８の位置の違いに合わせて、ヘッドセットカム５３、ヘッドセットバネ５４はブラックヘッド７用とカラーヘッド８用とで異なる形状とした。
【００１７】
次に、図６〜図８を用いて、ブラックヘッド７をキャリッジ５１に固定するときの動作を説明する。図６は、ブラックヘッドカバー５２ａが開きブラックヘッド７をキャリッジ５１に挿入するときの断面図である。ブラックヘッドカバー５２ａは、キャリッジ５１に回動可能に配されている。このとき、ブラックヘッドカバー５２ａは、カバーバネ５６のバネ力により図示反時計回りに付勢され、当接部５２３がキャリッジ５１と当接することによりその姿勢が維持されている。すなわち、ブラックヘッドカバー５２ａは、キャリッジ５１に対するブラックヘッド７の着脱を可能にする第２の位置に配されている。また、押出しレバー５７はレバーバネ５８のバネ力によって図示反時計回りに付勢され、当接部５７１がブラックヘッドカバー５２の当接部５２１と当接することでその姿勢を維持されている。また、レバーバネ５８の回動支点は、ブラックヘッドカバー５２ａの回動支点と同軸に構成されており、当接部５７１は回動支点の下方に設けられている。すなわち、ブラックヘッドカバー５２ａの押出しレバー５７を押圧する部位５２１は、ブラックヘッドカバー５２ａの回動支点より下方に配される。使用者は、ブラックヘッドカバー５２ａが開くことにより形成された開口部へブラックヘッド７を挿入する。挿入する際に、上方はヘッドセットカム５３で規制され、下方及び左右方向はフロントカバー５５によって規制されるため、使用者は容易にブラックヘッド７を挿入することができる。
【００１８】
図７は、ブラックヘッド７がキャリッジ５１の開口部に装着されたときの断面図である。このとき、ブラックヘッド７は、押出しレバー５７、キャリッジ５１、フロントカバー５５の３部品と当接することによりその姿勢が安定する。ブラックヘッド７のヘッド側コンタクト部７４は、キャリッジ５１のコンタクト部５１１と離間しているため、電気的接続がなされず誤作動などのトラブルが発生することがない。ここで、使用者は反時計回り方向にブラックヘッドカバー５２ａを回動させる。
【００１９】
図８は、ブラックヘッドカバー５２ａを閉じてブラックヘッド７がキャリッジ５１に固定されたときの断面図である。ブラックヘッドカバー５２ａは、係合部５２４がフロントカバー５５と係合する位置で固定される。この状態がキャリッジ５１にブラックヘッド７が固定された状態であり、ブラックヘッド７により被記録材に記録が行われる。すなわち、ブラックヘッドカバー５２ａは、ブラックヘッド７をキャリッジ５１に固定する第１の位置に配される。押出しレバー５７は、図７の状態からブラックヘッドカバー５２ａが回動することによりブラックヘッドカバー５２の当接部５２１から離間し、レバーバネ５８のバネ力により反時計回りに回動する。そして、図８の状態では、押出しレバー５７はブラックヘッド７から離間した位置であって、キャリッジ５１と当接してその姿勢が安定する。そのため、記録動作のためにキャリッジ５が往復移動しても、押出しレバー５７はブラックヘッド７と接触することはない。また、レバーバネ５８のバネ力により押出しレバー５７ががたつくこともない。すなわち、押出しレバー５７は、ブラックヘッドカバー５２ａの第１の位置から第２の位置への移動に伴い、キャリッジ５１に対して回動することによりキャリッジ５１に搭載されているブラックヘッド７を押圧する。
【００２０】
また、押出しレバー５７の回動支点は、ブラックヘッドカバー５２ａの回動支点と同軸である。この構成により、キャリッジ５１、ブラックヘッドカバー５２ａ、ヘッドセットカム５３、ブラックヘッド７に囲まれた狭いスペースに押出しレバー５７を配置することができ、装置全体の小型化も実現できる。
【００２１】
また、図８において、ブラックヘッドカバー５２ａの当接部５２１を押出しレバー５７の回動支点よりも下方に設けるか、あるいは押出しレバー５７の当接部５７１を押出しレバー５７の回動支点よりも上方に設ける必要がある。構成を容易にすることを考えると、前者の場合は押出しレバー５７の回動支点はできるだけ上方にあることが望ましい。後者の場合は押出しレバー５７の回動支点はできるだけ下方にあることが望ましい。さらに押出しレバー５７は、記録ヘッドをキャリッジ５１に固定した状態において、使用者に触れられないようにすることが望ましい。以上より、本実施形態のように、押出しレバー５７の回動支点をブラックヘッドカバー５２ａと同軸にすることが最適な構成となる。なお、カラーヘッド８、カラーヘッドカバー５２ｂについても同様の構成である。
【００２２】
次に、図９、図１０を用いて、ブラックヘッド７をキャリッジ５１から取り外すときの動作を説明する。図９は、ブラックヘッド７をキャリッジ５１に固定した状態からブラックヘッドカバー５２ａを所定量回動させたときの断面図である。図８の状態から使用者がブラックヘッドカバー５２ａの操作部５２２を押すことによりブラックヘッドカバー５２ａとフロントカバー５５との係合を外し、ブラックヘッドカバー５２ａを図示時計回り方向に回動させる。前述のように、カバーバネ５６のバネ力が作用するため、係合が外れた位置で指を離してバネ力によりブラックヘッドカバー５２ａを回動させるようにしてもよい。図９の状態において、ブラックヘッドカバー５２ａの回動に伴い押出しレバー５７も回動して、押出しレバー５７のヘッド当接部５７２がブラックヘッド７に接触している。ここで、ヘッドセットカム５３はブラックヘッド７から離間している。しかしながら、キャリッジ５１のコンタクト部５１１のピンの圧力によりブラックヘッド７の位置決め部７１がキャリッジ５１に付勢された状態のままである。そのため、ブラックヘッド７を取り外すためには、押出しレバー５７により図９の状態からブラックヘッド７を移動させる必要がある。
【００２３】
図１０は、図９の状態からブラックヘッドカバー５２ａをさらに回動させてブラックヘッドカバー５２ａが完全に開いたときの断面図である。すなわち、ブラックヘッドカバー５２ａは、キャリッジ５１に回動可能に配され、ブラックヘッド７をキャリッジ５１に固定する第１の位置とキャリッジ５１に対するブラックヘッド７の着脱を可能にする第２の位置とに移動可能である。図９の状態からブラックヘッドカバー５２ａを回動させることにより、ブラックヘッド７は押出しレバー５７に押されて移動する。図１０の状態では、ブラックヘッドカバー５２ａはキャリッジ５１と当接することにより、その回動が停止する。この状態では、ブラックヘッド７のヘッド側コンタクト部７４とキャリッジ５１のコンタクト部５１１とは離間しており、使用者はブラックヘッド７をキャリッジ５１から取り外すことができる。
【００２４】
以上説明した実施形態によれば、押出しレバー５７の回動支点の下方で、ヘッドカバー５２が押出しレバー５７を押圧することができる。そのため、従来例のように押出しレバーがヘッドカバーの上面から露出することがなく、キャリッジに対する記録ヘッドの着脱の操作性を確保しつつ、高画質の記録が可能な記録装置を提供することができる。
【図面の簡単な説明】
【００２５】
【図１】本実施形態に係る記録装置の斜視図である。
【図２】図１の記録装置のキャリッジ部の斜視図である。
【図３】ブラックヘッドの斜視図である。
【図４】キャリッジにブラックヘッドとカラーヘッドを搭載し、ヘッドカバーを省略した平面図である。
【図５】ブラックヘッドとカラーヘッドを搭載した状態の平面図である。
【図６】ブラックヘッドカバーが開きブラックヘッドをキャリッジに挿入するときの断面図である。
【図７】ブラックヘッドがキャリッジの開口部に装着されたときの断面図である。
【図８】ブラックヘッドカバーを閉じてブラックヘッドがキャリッジに固定されたときの断面図である。
【図９】ブラックヘッドをキャリッジに固定した状態からブラックヘッドカバーを所定量回動させたときの断面図である。
【図１０】図９の状態からブラックヘッドカバーをさらに回動させてブラックヘッドカバーを完全に開いたときの断面図である。
【図１１】従来の記録装置において、キャリッジに記録ヘッドを固定した状態を示す側面図である。
【図１２】従来の記録装置において、キャリッジに対する記録ヘッドの着脱を可能にするときの状態を示す側面図である。
【符号の説明】
【００２６】
１  記録装置
２  給送部
３  搬送部
４  排紙部
５  キャリッジ部
６  回復部
７  ブラックヘッド
８  カラーヘッド
５１  キャリッジ
５２  ヘッドカバー
５２ａ  ブラックヘッドカバー
５２ｂ  カラーヘッドカバー
５３  ヘッドセットカム
５４  ヘッドセットバネ
５５  フロントカバー
５６  カバーバネ
５７  押出しレバー
５８  レバーバネ
【図１】
2010036525.tif 000003
【図２】
2010036525.tif 000004
【図３】
2010036525.tif 000005
【図４】
2010036525.tif 000006
【図５】
2010036525.tif 000007
【図６】
2010036525.tif 000008
【図７】
2010036525.tif 000009
【図８】
2010036525.tif 000010
【図９】
2010036525.tif 000011
【図１０】
2010036525.tif 000012
【図１１】
2010036525.tif 000013
【図１２】
2010036525.tif 000014